【手続補正書】
【提出日】平成28年10月31日(2016.10.31)
【手続補正１】
【補正対象書類名】明細書
【補正対象項目名】０００６
【補正方法】変更
【補正の内容】
【０００６】
上述した課題を解決するために本発明の撮像装置は、
どのような被写体をどのように撮影するかに応じて設定されている各種の撮影シーンの個々に対応付けて、ブラケット撮影機能用の撮影パラメータに関する変化条件としてその変化の基準となる基準値を含む情報を記憶する記憶手段と、
前記各種の撮影シーンの中から撮影シーンが選択された際に、前記記憶手段を参照することよってその撮影シーンに対応付けられている前記撮影パラメータに関する変化条件を取得する取得手段と、
前記取得手段によって取得された撮影パラメータに関する変化条件に含まれる基準値を基準としてパラメータの値を所定量ずつ変更しながら複数回の撮影を連続するブラケット撮影を行う撮影手段と、
を備え、
前記記憶手段は、前記基準値として、所定機能によって自動決定された値を使用するか、又は予め決められた固定値か、を更に記憶し、
前記取得手段は、選択された撮影シーンに応じて、前記自動決定された値を使用するか、又は予め決められた固定値か、を撮影パラメータの基準値として取得する、
ことを特徴とする撮像装置である。
【手続補正２】
【補正対象書類名】明細書
【補正対象項目名】０００７
【補正方法】変更
【補正の内容】
【０００７】
上述した課題を解決するために本発明の撮像方法は、
どのような被写体をどのように撮影するかに応じて設定されている各種の撮影シーンの個々に対応付けて、ブラケット撮影機能用の撮影パラメータに関する変化条件としてその変化の基準となる基準値を含む情報が記憶されている状態において、前記各種の撮影シーンの中から任意に撮影シーンが選択された際に、その撮影シーンに対応付けられている前記撮影パラメータに関する変化条件を取得する処理と、
前記取得された撮影パラメータに関する変化条件に含まれる基準値を基準としてパラメータの値を所定量ずつ変更しながら複数回の撮影を連続するブラケット撮影を行う処理と、を含み、
前記基準値として、所定機能によって自動決定された値を使用するか、又は予め決められた固定値か、を更に記憶し、
選択された撮影シーンに応じて、前記自動決定された値を使用するか、又は予め決められた固定値か、を撮影パラメータの基準値として取得する、
ことを特徴とする撮像方法である。
【手続補正３】
【補正対象書類名】明細書
【補正対象項目名】０００８
【補正方法】変更
【補正の内容】
【０００８】
上述した課題を解決するために本発明のプログラムは、
コンピュータに対して、
どのような被写体をどのように撮影するかに応じて設定されている各種の撮影シーンの個々に対応付けて、ブラケット撮影機能用の撮影パラメータに関する変化条件としてその変化の基準となる基準値を含む情報を記憶する機能と、
前記各種の撮影シーンの中から任意に撮影シーンが選択された際に、その撮影シーンに対応付けられている前記撮影パラメータに関する変化条件を取得する機能と、
前記取得された撮影パラメータに関する変化条件に含まれる基準値を基準としてパラメータの値を所定量ずつ変更しながら複数回の撮影を連続するブラケット撮影を行う機能と、
を実現させ、
前記基準値として、所定機能によって自動決定された値を使用するか、又は予め決められた固定値か、を更に記憶し、
選択された撮影シーンに応じて、前記自動決定された値を使用するか、又は予め決められた固定値か、を撮影パラメータの基準値として取得する、
ことを特徴とするプログラムである。
【手続補正４】
【補正対象書類名】特許請求の範囲
【補正対象項目名】全文
【補正方法】変更
【補正の内容】
【特許請求の範囲】
【請求項１】
どのような被写体をどのように撮影するかに応じて設定されている各種の撮影シーンの個々に対応付けて、ブラケット撮影機能用の撮影パラメータに関する変化条件としてその変化の基準となる基準値を含む情報を記憶する記憶手段と、
前記各種の撮影シーンの中から撮影シーンが選択された際に、前記記憶手段を参照することよってその撮影シーンに対応付けられている前記撮影パラメータに関する変化条件を取得する取得手段と、
前記取得手段によって取得された撮影パラメータに関する変化条件に含まれる基準値を基準としてパラメータの値を所定量ずつ変更しながら複数回の撮影を連続するブラケット撮影を行う撮影手段と、
を備え、
前記記憶手段は、前記基準値として、所定機能によって自動決定された値を使用するか、又は予め決められた固定値か、を更に記憶し、
前記取得手段は、選択された撮影シーンに応じて、前記自動決定された値を使用するか、又は予め決められた固定値か、を撮影パラメータの基準値として取得する、
ことを特徴とする撮像装置。
【請求項２】
前記撮影シーンが第１の撮影シーンである場合は、前記基準値を予め決められた固定値とし、前記撮影シーンが第２の撮影シーンである場合は、前記基準値を所定機能によって自動決定された値を使用する、
ことを特徴とする請求項１に記載の撮像装置。
【請求項３】
前記ブラケット撮影機能用の撮影パラメータに関する変化条件は、撮影パラメータの種類である、
ことを特徴とする請求項１又は請求項２に記載の撮像装置。
【請求項４】
前記ブラケット撮影機能用の撮影パラメータに関する変化条件は、その撮影パラメータの基準値に対して、少なくともその前又は後の値を変更する変更幅を含み、
前記撮影手段は、前記変化条件に含まれる変更幅で前記撮影パラメータの値を変更しながらブラケット撮影を行う、
ことを特徴とする請求項１〜請求項３のいずれか１項に記載の撮像装置。
【請求項５】
前記ブラケット撮影機能用の撮影パラメータに関する変化条件は、その撮影パラメータを変更しながら複数回の撮影を連続して行う撮影枚数を含み、
前記撮影手段は、前記変化条件に含まれる撮影枚数で前記撮影パラメータの値を変更しながらブラケット撮影を行う、
ことを特徴とする請求項１〜請求項４のいずれか１項に記載の撮像装置。
【請求項６】
前記記憶手段は、予め決められた固定値を撮影パラメータに関する変化条件とするか任意に指定された指定値を撮影パラメータに関する変化条件とするかを記憶し、
前記取得手段は、選択された撮影シーンに応じて、前記固定値又は指定値を撮影パラメータに関する変化条件として取得する、
ことを特徴とする請求項１〜請求項５のいずれか１項に記載の撮像装置。
【請求項７】
前記取得手段は、複数の候補値の中から任意に指定された値を指定値として取得する、
ことを特徴とする請求項６に記載の撮像装置。
【請求項８】
前記記憶手段は、一つの撮影シーンに対応付けて複数種の撮影パラメータに関する変化条件を更に記憶し、
前記取得手段は、撮影シーンが選択された際に、その撮影シーンに対応する複数種の撮影パラメータに関する変化条件を前記記憶手段から読み出し、
前記撮影手段は、前記読出手段によって読み出された複数種の撮影パラメータに関する変化条件を設定してブラケット撮影を行う、
ことを特徴とする請求項１〜請求項７のいずれか１項に記載の撮像装置。
【請求項９】
前記各種の撮影シーンの中からユーザ操作によって任意の撮影シーンを選択する選択画面として、前記各種の撮影シーンに対してそのシーン名称と、その撮影シーン対応の前記撮影パラメータに基づいてブラケット撮影された場合のサンプル画像を組にして一覧表示する一覧表示手段を更に備え、
前記取得手段は、前記一覧表示手段によって表示された選択画面の中から任意に撮影シーンがユーザ操作によって選択された際に、その撮影シーンに対応する前記撮影パラメータの変化に関する変化条件を取得する、
ことを特徴とする請求項１〜請求項８のいずれか１項に記載の撮像装置。
【請求項１０】
どのような被写体をどのように撮影するかに応じて設定されている各種の撮影シーンの個々に対応付けて、ブラケット撮影機能用の撮影パラメータに関する変化条件としてその変化の基準となる基準値を含む情報が記憶されている状態において、前記各種の撮影シーンの中から任意に撮影シーンが選択された際に、その撮影シーンに対応付けられている前記撮影パラメータに関する変化条件を取得する処理と、
前記取得された撮影パラメータに関する変化条件に含まれる基準値を基準としてパラメータの値を所定量ずつ変更しながら複数回の撮影を連続するブラケット撮影を行う処理と、を含み、
前記基準値として、所定機能によって自動決定された値を使用するか、又は予め決められた固定値か、を更に記憶し、
選択された撮影シーンに応じて、前記自動決定された値を使用するか、又は予め決められた固定値か、を撮影パラメータの基準値として取得する、
ことを特徴とする撮像方法。
【請求項１１】
コンピュータに対して、
どのような被写体をどのように撮影するかに応じて設定されている各種の撮影シーンの個々に対応付けて、ブラケット撮影機能用の撮影パラメータに関する変化条件としてその変化の基準となる基準値を含む情報を記憶する機能と、
前記各種の撮影シーンの中から任意に撮影シーンが選択された際に、その撮影シーンに対応付けられている前記撮影パラメータに関する変化条件を取得する機能と、
前記取得された撮影パラメータに関する変化条件に含まれる基準値を基準としてパラメータの値を所定量ずつ変更しながら複数回の撮影を連続するブラケット撮影を行う機能と、
を実現させ、
前記基準値として、所定機能によって自動決定された値を使用するか、又は予め決められた固定値か、を更に記憶し、
選択された撮影シーンに応じて、前記自動決定された値を使用するか、又は予め決められた固定値か、を撮影パラメータの基準値として取得する、
ことを特徴とするプログラム。